(57)【特許請求の範囲】
【請求項１】
受信装置と情報通信を行うと共に前記受信装置に映像データを送信する送信装置であって、
方式１の映像データを送信する第１送信部と、データ信号にクロック信号が組み込まれた方式２の映像データを送信する第２送信部とを有する送信部と、
所定規格信号にて前記受信装置と前記情報通信を行う通信部と、
前記第１送信部を用いて映像データを送信する場合は、第１端子に映像クロック信号を伝送し、前記第２送信部を用いて映像データを送信する場合は、前記通信部から出力される第1所定規格信号を前記第１端子に伝送し、前記第１及び第２送信部の何れを用いた送信においても、第２及び第３端子に受信される第２所定規格信号を前記通信部に伝送する通信経路切り替え部と、
前記送信部及び前記通信経路切り替え部を制御する制御部と、
を具備する送信装置。
【請求項２】
前記第１端子は、所定バージョンのＨＤＭＩにおけるクロック端子に対応する端子であり、前記第２端子は、前記所定バージョンのＨＤＭＩにおけるＨＰＤ端子に対応する端子であり、前記第３端子は、前記所定バージョンのＨＤＭＩにおけるＲＳＶ端子に対応する端子である請求項１記載の送信装置。
【請求項３】
前記制御部は、前記送信装置と前記受信装置を接続するケーブルに内蔵されたケーブルＩＤメモリの内容を読み出す読出し部を含み、読み出されたケーブルＩＤ情報は前記通信部を介して前記受信装置に送信される請求項１記載の送信装置。
【請求項４】
前記制御部は、前記送信装置と前記受信装置を接続するケーブルの形式に応じて、前記通信経路切替部の通信経路を切り替える請求項１記載の送信装置。
【請求項５】
前記制御部は、前記ケーブルがケーブルＩＤを有していることを検出した場合、前記第２送信部を選択して映像データを伝送する請求項３記載の送信装置。
【請求項６】
前記制御部は、ケーブルＩＤを検出できず、ＨＤＭＩのＤＤＣ(Display Data Channel)端子を介して前記受信装置が有する表示装置の表示性能情報を受信できた場合、前記第１送信部を選択して映像データを伝送する請求項３記載の送信装置。
【請求項７】
送信装置と情報通信を行うと共に前記送信装置から映像データを受信する受信装置であって、
方式１の映像データを受信する第１受信部と、データ信号にクロック信号が組み込まれた方式２の映像データを受信する第２受信部とを有する受信部と、
所定規格信号にて前記送信装置と前記情報通信を行う通信部と、
前記第１受信部を用いて映像データを受信する場合は、第１端子を介して映像クロック信号を受信し、前記第２受信部を用いて映像データを受信する場合は、前記第１端子に受信される第１所定規格信号を前記通信部に供給し、前記第１及び第２受信部の何れを用いた受信においても、前記通信部から出力される第２所定規格信号を第２及び第３端子に供給する通信切り替え部と、
前記受信部及び前記通信切り替え部を制御する制御部と、
を具備する受信装置。
【請求項８】
前記第１端子は、所定バージョンのＨＤＭＩにおけるクロック端子に対応する端子であり、前記第２端子は、前記所定バージョンのＨＤＭＩにおけるＨＰＤ端子に対応する端子であり、前記第３端子は、前記所定バージョンのＨＤＭＩにおけるＲＳＶ端子に対応する端子である請求項７記載の受信装置。
【請求項９】
前記制御部は、前記第１端子に前記第１所定規格信号のキャリアが入力されている場合、前記第２受信部を選択して映像データを受信する請求項７記載の受信装置。
【請求項１０】
前記受信装置が有する表示装置の表示性能が記録された表示性能メモリと、
前記表示性能メモリの内容を読み出す読出し部とを更に含み、
読み出された表示性能情報は前記通信部を介して前記送信装置に送信される請求項７記載の受信装置。
【請求項１１】
前記制御部は、前記送信装置と前記受信装置を接続するケーブルがケーブルＩＤを有しているか問い合わせる通信を前記通信部を介して前記送信装置と行い、前記ケーブルがケーブルＩＤを有していることが通知された場合、前記第２受信部を選択して映像データを受信する請求項７記載の受信装置。
【請求項１２】
方式１の映像データを送信する第１送信部と、データ信号にクロック信号が組み込まれた方式２の映像データを送信する第２送信部とを有する送信部と、所定規格信号にて受信装置と情報通信を行う通信部とを具備し、前記受信装置と情報通信を行うと共に前記受信装置に映像データを送信する送信装置における通信経路を切り替える方法であって、
前記第１送信部を用いて映像データを送信する場合は、第１端子に映像クロック信号を伝送し、
前記第２送信部を用いて映像データを送信する場合は、前記通信部から出力される第1所定規格信号を前記第１端子に伝送し、
前記第１及び第２送信部の何れを用いた送信においても、第２及び第３端子に受信される第２所定規格信号を前記通信部に伝送する、通信経路切り替え方法。
【請求項１３】
前記送信装置と前記受信装置を接続するケーブルの形式に応じて、通信経路を切り替える請求項１２記載の通信経路切り替え方法。
【請求項１４】
前記ケーブルがケーブルＩＤを有していることが検出された場合、前記第２送信部からの映像データを映像音声出力端子に伝送する請求項１３記載の通信経路切り替え方法。
【請求項１５】
ケーブルＩＤを検出できず、ＨＤＭＩのＤＤＣ端子を介して前記受信装置が有する表示装置の表示性能情報を受信できた場合、前記第１送信部からの映像データを映像出力端子に伝送する請求項１３記載の通信経路切り替え方法。
【請求項１６】
方式１の映像データを受信する第１受信部と、データ信号にクロック信号が組み込まれた方式２の映像データを受信する第２受信部とを有する受信部と、所定規格信号にて送信装置と情報通信を行う通信部とを具備し、前記送信装置と情報通信を行うと共に前記送信装置から映像音声信号を受信する受信装置における通信経路を切り替える方法であって、
前記第１受信部を用いて映像データを受信する場合は、第１端子を介して映像クロック信号を受信し、
前記第２受信部を用いて映像データを受信する場合は、前記第１端子に受信される第１所定規格信号を前記通信部に供給し、
前記第１及び第２受信部の何れを用いた受信においても、前記通信部から出力される第２所定規格信号を第２及び第３端子に供給する、通信経路切り替え方法。
【発明の詳細な説明】
【技術分野】
【０００１】
本発明の実施形態は、送信装置、受信装置、及び通信経路切り替え方法に関する。
【背景技術】
【０００２】
双方向通信インタフェース装置として、ＨＤＭＩ（High-definition Digital Media Interface）ケーブルや光ファイバ等が広く利用されている。
【０００３】
また、ＨＤＭＩケーブルを用いる接続においても、音声信号の伝達を改善したＨＤＭＩ−ＡＲＣ（Audio Return Channel、バージョン１．４）や、イーサネット（登録商標）／Ethernet（登録商標）を経由した制御信号の受け渡しが可能なＨＥＣ（HDMI Ethernet Channel、バージョン１．４）等が制定されている。
【０００４】
より高速な伝送レートに対する要求、あるいはより長い伝送距離に対する要求に従い、ＩＥＥＥ（Institue of Electrical and Electronics Engineers）８０２．３ａｅで標準化されている１０ＧｂＥ（１０ Gigabit Ethernet（ギガビットイーサネット））に類似する高速の通信が可能なケーブルも実用化されている。
【０００５】
また、ＨＤＭＩシステムに、単一線路の追加通信路を形成しイーサネット双方向通信を導入する方法が示されている。
【先行技術文献】
【特許文献】
【０００６】
【特許文献１】特開２００９−１３０６０６号公報
【発明の概要】
【発明が解決しようとする課題】
【０００７】
高速長距離伝送を目的として、能動素子を用いた波形等価器などを内蔵し、各信号線の信号伝送方向が一方向のＨＤＭＩケーブルが提案されている。このようなケーブルは光伝送用ケーブルとしても適している。このようなケーブルを使用して、ケーブル中の各信号線の信号伝送方向が一方向に限定される場合、従来システムは旧タイプの機器との互換を図ることが困難であった。
【０００８】
本発明の実施形態は、各信号線の信号伝送方向がそれぞれ一方向の多芯ケーブルの使用を可能とすると共に、従来機器との互換を図ることが可能な信号伝送システムを提供することを目的とする。
【課題を解決するための手段】
【０００９】
一実施形態に係る送信装置は、受信装置と情報通信を行うと共に前記受信装置に映像データを送信する送信装置であって、方式１の映像データを送信する第１送信部と、データ信号にクロック信号が組み込まれた方式２の映像データを送信する第２送信部とを有する送信部と、所定規格信号にて前記受信装置と前記情報通信を行う通信部と、前記第１送信部を用いて映像データを送信する場合は、第１端子に映像クロック信号を伝送し、前記第２送信部を用いて映像データを送信する場合は、前記通信部から出力される第1所定規格信号を前記第１端子に伝送し、前記第１及び第２送信部の何れを用いた送信においても、第２及び第３端子に受信される第２所定規格信号を前記通信部に伝送する通信経路切り替え部と、前記送信部及び前記通信経路切り替え部を制御する制御部と、を具備する。
【図面の簡単な説明】
【００１０】
【図１】初期のＨＤＭＩシステム（ｖｅｒ１．０〜ｖｅｒ１．３）の概要構成を示す図である。
【図２】図１のシステムに対して機能を追加したＨＤＭＩシステム（ｖｅｒ１．４〜）の構成概要を示す図である。
【図３】実施形態に係るＡＶ機器としてのＨＤＭＩシステムの概要構成を示す図である。
【図４】図３のＨＤＭＩ−１、−２ＡＶ送信部１１５の詳細構成を示すブロック図である。
【図５】図３に示した通信３のインターフェースを行うＳＷ・ＩＦ４  １１３、２１３のより詳細なブロック図である。
【図６】様々な新規ケーブルの構成を示す図である。
【図７】新規ソース機器及び新規シンク機器間を新規ケーブル（Ａ）で接続した場合の通信の流れを説明するための構成図である。
【図８】ソース機器からシンク機器への問い合わせと回答の通信動作を示すフローチャートである。
【図９】シンク機器ソース機器からソース機器への問い合わせと回答の通信動作を示すフローチャートである。
【発明を実施するための形態】
【００１１】
以下、実施形態に係る送信装置及び受信装置について、図面を参照して説明する。
【００１２】
図１は送信装置及び受信装置として、初期のＨＤＭＩ（High-definition Digital Media Interface）システム(ver1.0〜ver1.3)の概要構成を示す。
【００１３】
ＨＤＭＩソース機器１０１と、ＨＤＭＩシンク機器２０１がＨＤＭＩケーブル０  ３０１にて接続されている。ＨＤＭＩソース機器１０１はＨＤＭＩ送信部１０２を含み、この送信部１０２はＨＤＭＩ−１ＡＶ送信部１０４とマイコン１０５を含む。送信部１０４及びマイコン１０５は夫々ＨＤＭＩ端子１０３に信号線を介して接続されている。
【００１４】
ＨＤＭＩシンク機器２０１はＨＤＭＩ受信部２０２を含み、この受信部２０２はＨＤＭＩ−１ＡＶ受信部２０４、マイコン（μコン）２０５及びメモリＥＤＩＤ２０７を含む。メモリＥＤＩＤ２０７はＨＤＭＩシンク機器の表示特性能力がコード化して記録されている。
【００１５】
ソース機器１０１は、例えばコンテンツすなわち放送番組等の映像（ビデオ）信号及び音声（オーディオ）信号を記録再生するレコーダ装置あるいはコンテンツの再生のみが可能なプレーヤ装置、ゲーム装置あるいはビデオカメラ等を含む。ソース機器１０１はまた、パーソナルコンピュータ（ＰＣ：Personal Computer）や、ＰＣに接続可能で、例えばＤＶＤ規格／ＣＤ規格等の光ディスクが保持するデータ（コンテンツ）を再生するデータ再生装置（光ディスクドライブ装置）、例えばＳＳＤ（Solid State Drive：半導体メモリ装置）からデータ（コンテンツ）の読み出しが可能なリーダ・ライタ（データ再生装置）、ＳＳＤ等のメモリ装置を有し携帯可能な携帯端末装置もしくはデジタルフォトカメラ装置あるいは携帯電話装置、あるいは自動車等に搭載もしくはユーザが携帯することのできるナビゲーション装置であってもよい。
【００１６】
シンク機器２０１は、例えば映像信号及び音声信号を再生するテレビジョン受信装置、あるいは映像信号を表示するモニタ装置（ディスプレイ）及び音声信号を再生するスピーカ（及びオーディオアンプ）等を含む。
【００１７】
ＨＤＭＩケーブル０  ３０１は、それぞれツイストペア線により規定される第１〜第３のチャンネルＣＨ０、ＣＨ１、ＣＨ２及びクロック線ＣＫ、及び単線の５Ｖ電源線、ＨＰＤ（Hot Plug Detected）線、ＲＳＶ（Reserve）線及びＣＥＣ（Consumer Electronics Control）線、及び２線のＤＤＣ(Display Data Channel)線を含む。
【００１８】
第１〜第３のチャンネルＣＨ０、ＣＨ１及びＣＨ２のそれぞれは、例えば画像信号のうちのＧ（Green）、Ｂ（Bule）、Ｒ（Red）のそれぞれの色成分に対応する。音声データ及び制御データ等は、水平帰線区間または垂直帰線区間においてチャンネルＣＨ０、ＣＨ１及びＣＨ２によりシンク機器２０１に向けて送信される。また、チャンネルＣＨ０、ＣＨ１及びＣＨ２のデータ信号をシンク機器２０１側で取り込むためのクロック信号が、クロックチャンネル３０９により伝送される。このクロックチャンネル３０９により伝送される１クロックの間に、例えば１０ビット分の画素データが送信される。
【００１９】
ＨＰＤ線は現行のＨＤＭＩ規格に準拠し、相手方機器の接続の検出に用いる信号線である。またＲＳＶ線は、ＨＤＭＩケーブル０  ３０１が準拠する規格1に従い、例えば双方向通信路として利用されることを考慮した拡張用として準備されている。
【００２０】
ＨＤＭＩソース機器１０１のＨＤＭＩ送信部１０２内に設けられたマイコン１０５は通信１の機能を有する通信部１０７（以下通信１部１０７）と通信２の機能を有する通信部１０６（以下通信２部１０６）を有する。通信１部１０７はシンク機器２０１のＥＤＩＤメモリ２０７に記録されたデータをＤＤＣ線を介して読み出す機能を持つ。このＥＤＩＤ（Extended Display Identification Data）は、シンク機器２０１が有する表示装置（図示されず）の表示性能情報等を示す。
【００２１】
また通信２部１０６は、ケーブル０  ３０１のＣＥＣ線３０６を介して、シンク機器２０１のマイコン２０５内に設けられた通信２の機能を有する通信部２０６（以下通信２部２０６）とＣＥＣ通信を行う機能を持つ。このＣＥＣは、例えばソース機器１０１及びシンク機器２０１を操作するために用いられるリモコンから送信された情報に対応する信号を示す。この通信２の通信速度は約１０ｋｂｐｓである。
【００２２】
図２は図１のシステムに対して機能を追加したＨＤＭＩシステム(ver1.4〜)の構成概要を示す。
【００２３】
図１の構成と同様にＨＤＭＩソース機器１０１と、ＨＤＭＩシンク機器２０１がＨＤＭＩケーブル１  ３１４にて接続されている。尚、図１と同様な構成要素には同一の参照符号を付記し、詳細な説明を省略する。
【００２４】
ＨＤＭＩソース機器１０１には新しく通信３の機能を有する通信部１１２（以下通信３部１１２）及びインターフェイスＩＦ３  １１１が追加され、ＨＤＭＩシンク機器にも新しく通信３の機能を有する通信部２１２（以下通信３部２１２）及びインターフェイスＩＦ３  ２１１が追加され、ＨＤＭＩケーブル１  ３１４では、図１の構成では利用されていなかったＲＳＶ線３０６とＨＰＤ線３０７が、ツイストペア線３１３として構成されている。
【００２５】
この通信３部１１２、２１２は通信２部１０６、２０６と同じようにデータ通信を行うが、通信速度が１００Ｍｂｐｓと速くなっている。また通信３部１１２、２１２は、ＨＰＤ信号を伝送するとともに、所定規格の通信例えばイーサネット通信を用いて各種情報を伝送する。
【００２６】
次に、実施形態に係る送信装置及び受信装置を説明する。  
図３は実施形態に係る送信装置及び受信装置としてのＨＤＭＩシステムの概要構成を示す。このＨＤＭＩシステムの構成は図２の構成と比べて以下のような特徴的な構成を有している。
【００２７】
第１に、ソース機器１０１では通信３部１１２とＨＤＭＩ端子間に、従来の図２に示したＩＦ３  １１１を拡張したＳＷ・ＩＦ４  １１３のブロックが設けられ、図２のＨＤＭＩ−１ＡＶ送信部１０４がＨＤＭＩ−１、−２ＡＶ送信部１１５に変更され、この送信部１１５にはＨＤＭＩ−１とＨＤＭＩ−２の２つを切り替える制御線がμコン１０５から接続されている。
【００２８】
ＨＤＭＩ−１は、従来のＴＭＤＳエンコーダを用いてデータ処理する方式であり、この方式を方式１とする。ＨＤＭＩ−２は例えばＩＥＥＥ８０２．３ａｅに準拠するエンコーダを用いてデータ処理する方式であり、この方式を方式２とする。方式２を用いてデータ伝送する場合、クロックはデータに埋め込まれており受信側でデータを受信しつつクロックを再生する。従って、方式２を用いてデータ伝送する場合、専用のクロックラインを用いてクロックをソース機器からシンク機器へ伝送する必要がない。
【００２９】
第２の特徴として、シンク機器２０１では通信３部２１２とＨＤＭＩ端子間に、図２のＩＦ３  ２１１を拡張したＳＷ・ＩＦ４  ２１３のブロックが設けられ、図２のＨＤＭＩ−１ＡＶ送信部がＨＤＭＩ−１、−２ＡＶ送信部２１５に変更され、この送信部２１５にはＨＤＭＩ−１とＨＤＭＩ−２の２つを切り替える制御線がμコン２０５から接続されている。
【００３０】
第３の特徴として、ケーブル２Ｅ  ３１５では、両端のＨＤＭＩ端子のＣＨ０、ＣＨ１、Ｃｈ２、ＣＫ及びＨＰＤ／ＲＳＶの各端子に一方向性のアンプ３１６〜３２０、３２１〜３２５が接続され、ケーブル両端の夫々対応するアンプ間はツイストペア線３０９〜３１３で接続されている。これら一方向性のアンプ３１６〜３２５は、例えば差動アンプで構成される。これらアンプ３１６〜３２５の電源は、電源ラインＶｃｃから供給される。
【００３１】
またケーブル２Ｅ  ３１５のＤＤＣ端子には、ＥＤＩＤと同様に読み出せるケーブル特性をコード化して記憶したメモリＩＤ１  ３２６、ＩＤ２  ３２７が接続されている。これらメモリＩＤ１  ３２６、ＩＤ２  ３２７の電源は、電源ラインＶｃｃから供給される。
【００３２】
第４の特徴として、従来の図２に示した通信３部１１２をそのまま利用し、通信（ＨＤＭＩ−１）の為のクロックライン３０９を利用可能とするＳＷ・ＩＦ４  １１３、２１３のブロックが修正追加さている。また別の特徴は、ＨＰＤ／ＲＳＶ線の通信方向が映像音声の伝送方向とは逆となっている。
【００３３】
このように本実施形態では、ソース機器からＣＫ線を経由してシンク機器に一方向通信路を構成し、シンク機器からソース機器へＨＰＤ／ＲＳＶ線を経由して一方向通信路を構成し、従来の通信３を用いて従来と同様の通信を行う。
【００３４】
尚、ＥＤＩＤ情報及びＣＥＣ信号はμコン２０５の制御の下に所定規格（例えばイーサネット）信号として、ＳＷ・ＩＦ４  ２１３及びＨＰＤ／ＲＳＶ線を経由してソース機器１０１に伝送される。また、ＨＤＭＩ−１、−２ＡＶ送信部１１５、ＨＤＭＩ−１、−２ＡＶ受信部２１５、通信１部１０７、通信２部１０６、２０６、通信３部１１２、２１２は、ハードウエアで実現するものであってもよいし、マイクロコンピュータ（処理装置、ＣＰＵ）等を用いてソフトウエアで実現するものであってもよい。
【００３５】
図４は、図３のＨＤＭＩ−１、−２ＡＶ送信部１１５の詳細構成例を示すブロック図である。  
方式１ＡＶ送信部（ＨＤＭＩ−１）１０４は、前述したように従来のＴＭＤＳエンコーダ、方式２ＡＶ送信部（ＨＤＭＩ−２）１１６はＩＥＥＥ８０２．３ａｅに準拠するエンコーダであり、データ伝送のクロックはデータに埋め込まれている。
【００３６】
方式１ＡＶ送信部（ＨＤＭＩ−１）１０４は音声信号が多重化された信号Ｇ、Ｂ、Ｒ各８ビット映像信号を１０ビットに変換し、それぞれシリアルデータに変換し、切替部１１７を介してＣＨ０〜ＣＨ２信号として送信される。なお、ＴＭＤＳクロック（ＴＭＤＳ−ＣＫ）を入力するクロックＰＬＬは、８／１０変換のためにＴＭＤＳクロック周波数の１０倍の周波数クロックを発生する。
【００３７】
方式２ＡＶ送信部（ＨＤＭＩ−２）１１６は、パケット化されたＧＢＲの各映像信号を６４ビット単位で６６ビットに変換したのちシリアルデータに変換し、切替部１１７を介してＣＨ０〜ＣＨ２信号として送信する。
【００３８】
図３の説明に戻り、ソース機器１０１とシンク機器２０１を接続するケーブルは色々なタイプを適用でき、従来ケーブルも使用可能である。接続される相手機器は従来機器であってもよい。この構成は、ソース側、シンク側共にＳＷ・ＩＦ４  １１３、２１３を除けば、図２に示す従来ＨＤＭＩの構成と同様である。
【００３９】
このように本実施形態では、ソース機器からＣＫ線を経由してシンク機器に一方向通信路が構成され、シンク機器からソース機器へＨＰＤ／ＲＳＶ線を経由して一方向通信路が構成される。この構成は、従来の通信３を用いて従来と同様の通信を行うと共に、ＨＤＭＩ−１及びＨＤＭＩ−２のデータ伝送を可能とする。もちろん図３の構成は、一方向性ではない他の新規ケーブル及び従来のケーブルも適用できる。本実施形態に係るソース機器及びシンク機器の構成は、一方向性のＨＤＭＩケーブル（光ケーブルを含む）に特に適している。
【００４０】
また本実施形態の特徴は後述するように、相手機器が新機能を保有しているか否か、ケーブルは新規ケーブルか従来ケーブルかを判断することである。  
図５は、図３に示した通信３のインターフェースを行うＳＷ・ＩＦ４  １１３、２１３の詳細な回路図である。ＳＷ・ＩＦ４  １１３は、スイッチ１１８〜１２１、差動アンプ１２３、１２２、１２６及び減算器１２４を含み、スイッチ１１８〜１２１はμコン１０５にて制御される。ＳＷ・ＩＦ４  ２１３は、スイッチ２１８〜２２０、差動アンプ２２２、２２３、２２６及び減算器２２４を含み、スイッチ２１８〜２２０はμコン１０５にて制御される。
【００４１】
ソース機器側では後述するように、ケーブルＩＤの有無及び内容を検出できるので、接続されたケーブルが一方向性ケーブルを含む新規ケーブルか否か判断できる。新規ケーブルの場合、μコン１０５は表１の様にスイッチを切り替えて通信３にて通信する。
【表１】
0005284454.tif 000002
【００４２】
シンク機器側では最初、ソース機器側が図２の従来の通信３を利用するか、図３の通信３を利用するか不明である。そこでシンク機器２０１のμコン２０５は、スイッチ２１９、２２０を交互にＯＮ／ＯＦＦとして、通信３部２１２にて通信３（イーサネット）用のキャリアがＣＫ端子から受信されるか、ＲＳＶ／ＨＰＤ端子から受信されているかを判断する。通信３用のキャリアがＣＫ端子または／及びＲＳＶ／ＨＰＤ端子から受信されている場合、μコン２０５は表１のようにスイッチを設定し、方式２ＡＶ受信部（ＨＤＭＩ−２）を選択して、映像音声データを受信可能とする。これは、ケーブルが接続され機器の電源がＯＮされた場合の最初の状態で決定できる。通信３用のキャリアがＣＫ端子及びＲＳＶ／ＨＰＤ端子から受信されていない場合、あるいはＣＫ端子からＡＶデータ用のクロックが入力される場合、μコン２０５はケーブルを従来ケーブルと判断できる。
【００４３】
ＨＤＭＩケーブルが図１、図２のような従来ケーブルの場合、表２の様に、ソース側のスイッチ１１８、１２０、１２１は（配線は示していないがソース側μコンにより）ＯＮで、１１９はＯＦＦ、（配線は示していないがシンク側μコンで）シンク側のスイッチ２１８、２２０はＯＮで、２１９はＯＦＦとする。ソース側ＣＫのＴＭＤＳ−ＣＫがＣＫ端子を経由してシンク側ＣＫ端子へと伝達される。従来の通信３のデータＤ１、Ｄ２はＨＰＤ／ＲＳＶ線を介して伝達される。
【表２】
0005284454.tif 000003
【００４４】
ＨＤＭＩケーブルが新規の場合は、図３、図４のＨＤＭＩ−２ＡＶ送信部／受信部に切り替えられ、表１の様に切り替えられ、ソース側からのＤ２データはＣＫ線を経由してシンク側に、シンク側からのＤ１データはＨＰＤ／ＲＳＶ線を経由してソース側に伝達される。
【００４５】
別の見方をすれば、従来の図２での通信３にて通信するか、図３での通信３にて新通信とするか、どちらかを最初に決める必要がある。新規ケーブルには様々なケーブルがあるので先ずケーブルの形式を判定してから通信を決定する。ここで、ＤＤＣ線を介してケーブルＩＤまたはＥＤＩＤを読み込む処理を第１プロトコルとする。また、通信３のイーサネットを使って相手側機器を識別する処理を第２プロトコルとする。
【００４６】
図１及び図２のような従来のＨＤＭＩケーブルに対して異なる様々な新規ケーブルについて説明する。図６は新規ケーブルの構成を示し、表３Ａ、３Ｂは各ケーブルの構成説明及び効果を示す。
【表３Ａ】
0005284454.tif 000004
【００４７】
【表３Ｂ】
0005284454.tif 000005
【００４８】
新規ケーブルはいずれもＨＤＭＩ−２のデータ伝送を想定している。以下に、新規ケーブルを識別するためのルールを示す。  
ルール１：新規ケーブルはコネクタの形状が従来と異なり、従来のソース機器、シンク機器には接続できない。  
ルール２：新規ケーブルはＩＤを持つことを基本とする。  
ルール３：ＩＤを持たない新規ケーブルは、ＣＥＣ線、ＤＤＣ線のケーブル両端間が配線されいない。  
ルール４：逆にいえば新規ケーブルでは、ＣＥＣ線または／及びＤＤＣ線が結合されている場合、ケーブルＩＤが必ず設けられている。
【００４９】
上記ルール３によれば、コストが最小のケーブルを適用することが可能である。ルール４によれば、相手機器とケーブルの探索が第１プロトコルのみで可能となるが、ケーブルのコストは少し高くなる。
【００５０】
新規ケーブルのＣＨ０〜Ｃｈ２、ＣＫ、ＨＰＤ／ＲＳＶのツイストペア線は、従来ケーブル１と同じで高速通信が可能である。他のＣＥＣ線などはコスト削減のため接続されていないのが基本で、各機器とゲーブルの組み合わせには様々なバリエーションがある。表４はケーブルとソース機器及びシンク機器の組み合わせの例を説明する表である。ソース機器及びシンク機器の「新規」は、図３のようにＨＤＭＩ−１、−２送信部又は受信部を有する機器を示し、ケーブルの「新規」は、図６（Ａ）〜（Ｅ）のいずれかのゲーブルを示す。また新規（Ａ）〜（Ｅ）はそれぞれ図６（Ａ）〜（Ｅ）に示すゲーブルを示す。
【表４】
0005284454.tif 000006
【００５１】
図７は新規ソース機器及び新規シンク機器間を新規ケーブル（Ａ）で接続し、各機器がケーブル及び相手側機器を識別するときの信号経路（点線）を示す図である。新規ケーブル（Ａ）は５組のツイストペア線のみで構成され、ケーブルコストは最小に抑えられる。
【００５２】
図８はソース機器からシンク機器への問い合わせと回答の通信動作を示すフローチャートである。  
（Ａ）ソース機器側
４０１：ソース機器１０１のマイコン１０５内の通信１による通信で、ケーブルＩＤを読出してみる  
４０２：ケーブルのＩＤ情報を受信できない場合であり、ソース機器１０１はＩＤが無い旨の情報をイーサネット信号（所定規格信号）に添えて、新通信３によりシンク機器に問い合わせを行う。この新通信３は、表１のようにスイッチを設定し、通信３部１１２にてＥＤＩＤ情報及びＣＥＣ信号をイーサネット信号として、ＨＰＤ／ＲＳＶ線を経由してシンク機器からソース機器１０１に伝送する通信である。また新通信３の場合、ＨＤＭＩ−２が選択されてＡＶデータが伝送され、ＣＫ線にはＨＤＭＩ−１のクロック（ＴＭＤＳ−ＣＫ）ではなく、イーサネット信号が伝送される。
【００５３】
４０３：ケーブルのＩＤ情報を受信できた場合であり、ソース機器１０１はＩＤ情報をイーサネット信号に添えて、通信３部１１２にて問い合わせを行う。このときソース機器１０１は接続されたケーブルが図６（Ｂ）〜（Ｅ）のような新規ケーブルであると判断できる。
【００５４】
（Ｂ）シンク側
５０１：シンク機器は上記４０２又は４０３の問い合わせを受信する
５０２：新通信３にて５０１の問い合わせに対して応答する。
【００５５】
５０３：ここでシンク機器は、ケーブルが新規ケーブであり、相手側のソース機器が新規の機器であることを判断でき、送信３部にてＥＤＩＤデータ等をイーサネット信号に含ませ、ソース機器にデータを送信する。シンク機器はＨＤＭＩ−２受信部を選択してＡＶデータを受信可能とする。
【００５６】
（Ａ）ソース側
４０４／４０５：ソース機器は上記５０２の回答の有無を判定する。尚、４０５で回答があった場合、ソース機器はケーブルが図６（Ａ）のケーブルであると判断できる。
【００５７】
４０６：応答が有った場合であり、ソース機器は相手側のシンク機器が新規の機器であり、新通信３によるデータの送受信及びＨＤＭＩ−２によるＡＶデータ送信が可能と判断する。
【００５８】
４０８：シンク機器からＣＥＣ情報等を受信、すなわち新通信３にてデータ通信を行い、ＨＤＭＩ−２送信部を選択してＡＶデータを送信可能とする。
【００５９】
４０７：シンク機器から回答がない場合は通信１にてＥＤＩＤが読めるか判断する。
【００６０】
４１０：ＥＤＩＤが読める場合、ソース機器はケーブル及びシンク機器が従来形式であると判断し、スイッチを表２のように設定し、方式１ＡＶ送信部（ＨＤＭＩ−１）を選択して、ＡＶデータを送信する。
【００６１】
４０９／４１１：シンク機器から回答が無い又は／及びＥＤＩＤが読めなかった場合であり、ソース機器はケーブルが接続されていないと判断又は／及びシンク機器との通信を中止する。
【００６２】
図９はシンク機器ソース機器からソース機器への問い合わせと回答の通信動作を示すフローチャートである。
【００６３】
（Ｂ）シンク側
５０４：ケーブルＩＤ情報について、新通信３にてソース機器に問い合わせる
（Ａ）ソース側
４２０：上記５０４の問い合わせを新通信３にて受信する。ここでソース機器は相手側のシンク機器が新規の機器であり、新通信３によるデータの送受信及びＨＤＭＩ−２によるＡＶデータ送信が可能と判断できる。
【００６４】
４２１：ソース機器１０１のマイコン１０５内の通信１による通信でケーブルＩＤを読出す。
【００６５】
４２２：ケーブルのＩＤ情報が無い場合であり、ＩＤが無い旨の情報を信号に添えて、通信３部１１２にてシンク機器に回答する。
【００６６】
４２３：ケーブルのＩＤ情報がある場合であり、ＩＤ情報を信号に添えて、通信３部１１２にてシンク機器に回答する。
【００６７】
４２４：新通信３によるデータの送受信を行い、ＨＤＭＩ−２送信部を選択してＡＶデータを送信可能とする。
【００６８】
（Ｂ）シンク側
５０６：ケーブルＩＤを含む回答を受信した場合であり、新通信３にてデータ通信を行い、ＨＤＭＩ−２受信部を選択してＡＶデータを受信可能とする。
【００６９】
５０７：回答が無かった場合であり、ケーブルが接続されていないと判断するか、または／及びソース機器との通信を中止する。
【００７０】
以上説明したように実施形態によれば、各信号線の信号伝送方向がそれぞれ一方向の多芯ケーブルを含む新規ケーブルの使用を可能とすると共に、従来機器との互換を図ることが可能な信号伝送システムを提供できる。
【００７１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７２】
１０１…ＨＤＭＩソース機器、１０２…ＨＤＭＩ送信部、１０４…ＨＤＭＩ送信部ＡＶ送信部、１０５、２０５…マイコン、１０６、２０６…通信２部、１０７…通信１部、１１２、２１２…通信３部、２０１…ＨＤＭＩシンク機器、２０２…ＨＤＭＩ受信部、２０４…ＨＤＭＩ受信部ＡＶ送信部、１１３…ＳＷ・ＩＦ４、１１８〜１２１…スイッチ、１２３、１２２、１２６…差動アンプ、１２４…減算器。
【図１】
0005284454.tif 000007
【図２】
0005284454.tif 000008
【図３】
0005284454.tif 000009
【図４】
0005284454.tif 000010
【図５】
0005284454.tif 000011
【図６】
0005284454.tif 000012
【図７】
0005284454.tif 000013
【図８】
0005284454.tif 000014
【図９】
0005284454.tif 000015